(57)【特許請求の範囲】
【請求項１】
既設の設備を登録する設備図データを格納する記憶手段と、
工事対象の設備およびその設備の工事内容が新設か撤去かを登録する工事設備図データを格納する記憶手段とを有し、
上記設備図データと上記工事設備図データとを参照して、
当該工事対象の設備が既設の設備として存在するか否かを判定するとともに、当該工事対象の設備が新設工事に係るものであるかを判定する判定手段と、
上記判定手段の判定結果が当該工事対象の設備が既設の設備として存在し、かつ、新設工事に係るものであることを示す場合には、
上記既設の設備と工事対象の設備を画面に表示する際、論理的な矛盾が生じていることを明示する明示手段とを備えたデータ管理装置。
【請求項２】
既設の設備を登録する設備図データを格納する記憶手段と、
工事対象の設備およびその設備の工事内容が新設か撤去かを登録する工事設備図データを格納する記憶手段とを有し、
上記設備図データと上記工事設備図データとを参照して、
当該工事対象の設備が既設の設備として存在するか否かを判定するとともに、当該工事対象の設備が撤去工事に係るものであるかを判定する判定手段と、
上記判定手段の判定結果が当該工事対象の設備が既設の設備として存在せず、かつ、撤去工事に係るものであることを示す場合には、
論理的な矛盾が生じていることを明示する明示手段とを備えたデータ管理装置。
【請求項３】
判定手段は、予め、上記判定結果を識別する識別コードを上記工事設備図データに付加しておき、
明示手段は、上記工事対象の設備を画面に表示する際、その工事設備図データを参照して表示することを特徴とする請求項１または請求項２記載のデータ管理装置。
【発明の詳細な説明】
【０００１】
【産業上の利用分野】
この発明は、設備に関するデータを管理し、既設の設備と工事対象の設備を設備図面として画面に表示するデータ管理装置に関するものである。
【０００２】
【従来の技術】
図１０は従来のデータ管理装置の動作を示すフローチャート、図１１はデータ管理装置を示す構成図であり、図において、１はホストコンピュータ、２は通信回線、３はホストコンピュータ１から通信回線２を介して工事内容等の工事データを受信するサーバ、４はサーバ３のメモリであり、メモリ４には既設の設備を登録する設備図データ４ａ（図１２参照）、工事対象の設備とその設備の工事内容を登録する工事設備図データ４ｂ（図１３参照）及び地形情報を登録する地形図データ４ｃが格納されている。
また、５はＬＡＮ、６はサーバ３とＬＡＮ５を介してデータの授受を行い、既設の設備と工事対象の設備を設備図面として画面に表示するワークステーション、７はワークステーション６の処理部、８はワークステーション６の主メモリ、９はワークステーション６のＣＲＴである。
【０００３】
次に動作について説明する。
まず、ホストコンピュータ１が工事単位に保有している工事内容等の工事データをサーバ３が通信回線２を介して受信し、メモリ４の工事設備図データ４ｂに登録する。
一方、ワークステーション６は、ＬＡＮ５を介してサーバ３とデータの授受を行い、サーバ３のメモリ４から設備図データ４ａと工事設備図データ４ｂの読み込みを行う（ステップＳＴ１）。
これにより、ワークステーション６は、その設備図データ４ａと工事設備図データ４ｂを照合し（ステップＳＴ２）、工事対象の設備が既設の設備として存在しているか否かを判定する。即ち、設備図データ４ａと工事設備図データ４ｂのなかに一致するデータがあるか否かを判定する（ステップＳＴ３，４）。
【０００４】
ここで、設備図データ４ａと工事設備図データ４ｂはそれぞれ図１２、図１３に示すようなデータ構成となっており、図形データをグループ番号Ｇとセグメント番号Ｓで管理している。
因に、グループ番号Ｇは、例えば、電柱−電柱番号−バンク等のように相互に関係あるものを一括して管理する番号であり、同一番号内の各々の図形データにはセグメント番号Ｓが１から順番に割り当てられている。
従って、ワークステーション６は、設備図データ４ａと工事設備図データ４ｂにおけるグループ番号Ｇとセグメント番号Ｓを参照することによって、工事対象の設備が既設の設備として存在しているか否かを判定する。
なお、工事設備図データ４ｂには、グループ番号Ｇとセグメント番号Ｓの他に工事の設計書番号、工事内容（新設、撤去、取替等）が付加されている。
【０００５】
このように、工事対象の設備が既設の設備として存在しているか否かを判定する理由は、何ら判定せずに、設備図を画面表示するための表示用データをその設備図データ４ａと工事設備図データ４ｂに基づいて生成してしまうと（図１４参照）、最終的に得られる設備図面は図１５に示すようになり、同じグループ番号の設備が重複して存在するという論理的矛盾が発生してしう可能性があるからである（図１５の場合、グループ番号Ｇ１が重複して存在している。）。
即ち、例えば、ある既設の電柱を撤去してから新設する工事の場合（電柱を移動する工事等が該当）、本来の工事の流れからすると、既設の電柱と新設の電柱が同時に存在することはあり得ないのであるが、一般に伝票処理の関係でホストコンピュータ１から転送される工事データは工事の流れとは無関係に転送される場合が多いので、当該従来例のように、グループ番号Ｇ１の既設の設備を先に撤去することなくグループ番号Ｇ１の設備を新設する工事データが転送されてしまうと、同時に存在することがあり得ないグループ番号Ｇ１の設備が重複して存在してしてしまうという論理的な矛盾が生じてしまうからである。
【０００６】
上記の判定の結果、工事対象の設備が既設の設備として存在していない場合には、上記のような論理的な矛盾はあり得ないとして、設備図データ４ａと工事設備図データ４ｂに基づいて表示用データを生成し（ステップＳＴ５）、その表示用データに従って設備図面をＣＲＴ９の画面に表示する（ステップＳＴ６）。
一方、工事対象の設備が既設の設備として存在している場合、論理的な矛盾が生じているとして、ＣＲＴ９の画面にエラー表示を行い、工事設備図データ４ｂを破棄する（ステップＳＴ７）。
【０００７】
【発明が解決しようとする課題】
従来のデータ管理装置は以上のように構成されているので、本来の工事の流れと無関係に工事データがホストコンピュータ１から転送されると、論理的な矛盾が生じているとしてＣＲＴ９の画面にエラー表示をして工事設備図データ４ｂを破棄してしまうため、新設等される工事設備をＣＲＴ９の画面に表示できなくなってしまい、工事内容を把握できなくなる問題点があった。
また、工事対象の設備が既設の設備として存在しているか否かを単に判定するだけであるので、存在しない既設の設備を撤去する工事データがホストコンピュータ１から転送されても、論理的な矛盾を検出することができず、存在しない設備をＣＲＴ９の画面に表示して撤去する旨を明示してしまう問題点があった。
【０００８】
請求項１の発明は上記のような問題点を解消するためになされたもので、既に存在する既設の設備を新設する工事データがホストコンピュータから転送された場合には、既設の設備を撤去したのち当該工事設備を新設するものであることを表現できるデータ管理装置を得ることを目的とする。
【０００９】
請求項２の発明は、存在しない既設の設備を撤去する工事データがホストコンピュータから転送された場合には、論理的な矛盾を検出することができるデータ管理装置を得ることを目的とする。
【００１０】
請求項３の発明は、請求項１及び請求項２の発明より、速やかに設備図面を表示できるデータ管理装置を得ることを目的とする。
【００１１】
【課題を解決するための手段】
請求項１の発明に係るデータ管理装置は、工事対象の設備が既設の設備として存在し、かつ、新設工事に係るものである場合には、既設の設備と工事対象の設備を画面に表示する際、論理的な矛盾が生じていることを明示するようにしたものである。
【００１２】
請求項２の発明に係るデータ管理装置は、工事対象の設備が既設の設備として存在せず、かつ、撤去工事に係るものである場合には、論理的な矛盾が生じていることを明示するようにしたものである。
【００１３】
請求項３の発明に係るデータ管理装置は、予め、請求項１及び請求項２の発明における判定結果を識別する識別コードを工事設備図データに付加しておき、工事対象の設備を画面に表示する際、その工事設備図データを参照して表示するようにしたものである。
【００１４】
【作用】
請求項１の発明におけるデータ管理装置は、工事対象の設備が既設の設備として存在し、かつ、新設工事に係るものである場合には、既設の設備と工事対象の設備を画面に表示する際、論理的な矛盾が生じていることを明示するようにしたことにより、既に存在する既設の設備を新設する工事データがホストコンピュータから転送された場合、既設の設備を撤去したのち当該工事設備を新設するものであることを表現できるようになる。
【００１５】
請求項２の発明におけるデータ管理装置は、工事対象の設備が既設の設備として存在せず、かつ、撤去工事に係るものである場合には、論理的な矛盾が生じていることを明示するようにしたことにより、存在しない既設の設備を撤去する工事データがホストコンピュータから転送された場合でも、論理的な矛盾を検出することができるようになる。
【００１６】
請求項３の発明におけるデータ管理装置は、予め、請求項１及び請求項２の発明における判定結果を識別する識別コードを工事設備図データに付加しておき、工事対象の設備を画面に表示する際、その工事設備図データを参照して表示するようにしたことにより、請求項１及び請求項２の発明より速やかに設備図面を表示できるようになる。
【００１７】
【実施例】
実施例１．
以下、この発明の一実施例を図について説明する。
図１はこの発明の実施例１によるデータ管理装置の動作を示すフローチャートであり、図において、従来のものと同一符号は同一または相当部分を示すので説明を省略する。
ステップＳＴ１１は工事対象の設備が新設工事に係るものであるか否かを判定するステップ、ステップＳＴ１２は新設工事に係る設備のデータに識別コード”２０００００”を付加するステップ、ステップＳＴ１３は工事対象の設備が撤去工事に係るものであるか否かを判定するステップ、ステップＳＴ１４は論理的な矛盾がないことを示す識別コード”０”を抽出したデータに付加するステップ、ステップＳＴ１５は撤去工事に係る設備のデータに識別コード”４０００００”を付加するステップである。
なお、図１１はデータ管理装置を示す構成図であるが、ワークステーション６の処理部７は判定手段と明示手段を構成する。
【００１８】
次に動作について説明する。
まず、従来のものと同様に、ホストコンピュータ１が工事単位に保有している工事内容等の工事データをサーバ３が通信回線２を介して受信し、メモリ４の工事設備図データ４ｂに登録する。
一方、ワークステーション６の処理部７（判定手段）は、ＬＡＮ５を介してサーバ３とデータの授受を行い、サーバ３のメモリ４から設備図データ４ａと工事設備図データ４ｂの読み込みを行う（ステップＳＴ１）。
これにより、ワークステーション６の処理部７（判定手段）は、その工事設備図データ４ｂの中から１つデータを抽出して、順次設備図データ４ａと照合し（ステップＳＴ２）、工事対象の設備が既設の設備として存在しているか否かを判定する。即ち、設備図データ４ａと工事設備図データ４ｂのなかに一致するデータがあるか否かを判定する（ステップＳＴ３）。
【００１９】
そして、ワークステーション６の処理部７（判定手段）は、ステップＳＴ３において、工事対象の設備が既設の設備として存在していると判断する場合、さらに工事対象の設備が新設工事に係るものであるか否かを判定する（ステップＳＴ１１）。
そして、ワークステーション６の処理部７（判定手段）は、ステップＳＴ１１で、工事対象の設備が新設工事に係るものであると判断する場合には、新設工事が行われる工事対象の設備が既に既設の設備として存在するという論理的な矛盾が生じているので、上記既設の設備と当該工事対象の設備を同時に画面表示した場合の混同を防止するため、即ち、上記既設の設備を新たに当該工事対象の設備によって新設するものであることを明確にして実際には重複して存在するものではないことを識別できるようにするため、当該新設工事に係る設備のデータに上記論理的な矛盾を識別する識別コード”２０００００”を図２（ａ）に示すように付加する（ステップＳＴ１２）。
【００２０】
一方、ステップＳＴ１１で、工事対象の設備が新設工事に係るものではないと判断する場合には、論理的な矛盾は生じていないので、論理的な矛盾が生じていないことを識別する識別コード”０”を図２（ｂ）に示すように抽出したデータに付加する（ステップＳＴ１４）。
【００２１】
次に、ステップＳＴ３により、工事対象の設備が既設の設備として存在していないと判断する場合、さらに工事対象の設備が撤去工事に係るものであるか否かを判定する（ステップＳＴ１３）。
ステップＳＴ１３で、工事対象の設備が撤去工事に係るものであると判断する場合には、撤去工事が行われる工事対象の設備が既設の設備として存在しないという論理的な矛盾が生じているので、論理的な矛盾が生じていることを識別する識別コード”４０００００”を図３（ａ）に示すように付加する（ステップＳＴ１５）。
【００２２】
一方、ステップＳＴ１３で、工事対象の設備が撤去工事に係るものではないと判断する場合には、論理的な矛盾は生じていないので、論理的な矛盾が生じていないことを識別する識別コード”０”を図３（ｂ）に示すように抽出したデータに付加する（ステップＳＴ１４）。
【００２３】
そして、ワークステーション６の処理部７（判定手段）は、工事設備図データ４ｂの中のすべてのデータについてのチェックが終了すると（ステップＳＴ４）、識別コードを付加した工事設備図データ４ｂと設備図データ４ａを用いて表示用データを生成するが（ステップＳＴ５）、表示用データのグループ番号は、工事設備図データ４ｂに登録されているグループ番号に識別番号を加算したものである。
因に、工事設備図データ４ｂが図２（ａ）、図２（ｂ）、図３（ａ）、図３（ｂ）のように登録されている場合、表示データはそれぞれ図４〜７のように生成される。
【００２４】
最後に、ワークステーション６の処理部７（明示手段）は、上記のようにして生成された表示用データに従ってＣＲＴ９に設備図面を表示するが、新設工事が行われる工事対象の設備が既に既設の設備として存在するという論理的な矛盾が生じている場合には（表示データは図４）、図８に示すように、既設の設備を青色で表示する一方、新設工事の設備を赤色で表示することにより、重複する既設の設備（グループ番号Ｇ１）を撤去したのち、新設することが分かるようにしている。
【００２５】
また、撤去工事が行われる工事対象の設備が既設の設備に存在しないという論理的な矛盾が生じている場合には（表示データは図６）、図９に示すように、現実には存在しないが撤去対象の設備となっている設備（グループ番号Ｇ１）を黄色で点滅することにより、論理的な矛盾が生じていることが分かるようにしている。
【００２６】
なお、論理的な矛盾が生じていない場合（表示データは図５、図７）は、工事対象の設備と既設の設備を同時に表示しても問題ないので、両者を区別せず表示する。
【００２７】
実施例２．
上記実施例１では、ワークステーション６が設備図面を表示するごとに設備図データ４ａと工事設備図データ４ｂを照合して論理的な矛盾を検出するものについて示したが、予め、ワークステーション６またはサーバ３が上記実施例１と同様にして論理的な矛盾を検出して工事設備図データ４ｂに識別番号を付加しておき、設備図面をＣＲＴ９に表示する際、その工事設備図データ４ｂをメモリ４から読み込んで表示するようにしてもよい。
これにより、設備図面を表示する際、論理的な矛盾を検出する手間が省け、上記実施例１よりも速やかに設備図面を表示できるようになる。
【００２８】
実施例３．
上記実施例１では、識別番号として、”２０００００”と”４０００００”と”０”を用いたものについて示したが、これに限るものではなく、他の数値やアルファベット等を用いても同様の効果が得られる。
【００２９】
実施例４．
上記実施例１では、赤色や青色等に設備を色分けすることによって、論理的な矛盾等を表現するものについて示したが、他の色でもよく、また、文字や記号等によって表現してもよく、同様の効果が得られる。
【００３０】
【発明の効果】
以上のように、請求項１の発明によれば、工事対象の設備が既設の設備として存在し、かつ、新設工事に係るものである場合には、既設の設備と工事対象の設備を画面に表示する際、論理的な矛盾が生じていることを明示するように構成したので、既に存在する既設の設備を新設する工事データがホストコンピュータから転送された場合、既設の設備を撤去したのち当該工事設備を新設するものであることを表現できる効果がある。
【００３１】
請求項２の発明によれば、工事対象の設備が既設の設備として存在せず、かつ、撤去工事に係るものである場合には、論理的な矛盾が生じていることを明示するように構成したので、存在しない既設の設備を撤去する工事データがホストコンピュータから転送された場合でも、論理的な矛盾を検出することができる効果がある。
【００３２】
請求項３の発明によれば、予め、請求項１及び請求項２の発明における判定結果を識別する識別コードを工事設備図データに付加しておき、工事対象の設備を画面に表示する際、その工事設備図データを参照して表示するように構成したので、請求項１及び請求項２の発明より速やかに設備図面を表示できる効果がある。
【図面の簡単な説明】
【図１】この発明の実施例１によるデータ管理装置の動作を示すフローチャートである。
【図２】工事設備図データのデータ構成を示すデータ構成図である。
【図３】工事設備図データのデータ構成を示すデータ構成図である。
【図４】表示用データのデータ構成を示すデータ構成図である。
【図５】表示用データのデータ構成を示すデータ構成図である。
【図６】表示用データのデータ構成を示すデータ構成図である。
【図７】表示用データのデータ構成を示すデータ構成図である。
【図８】ＣＲＴに表示される設備図面を示す画面図である。
【図９】ＣＲＴに表示される設備図面を示す画面図である。
【図１０】従来のデータ管理装置の動作を示すフローチャートである。
【図１１】データ管理装置を示す構成図である。
【図１２】設備図データのデータ構成を示すデータ構成図である。
【図１３】工事設備図データのデータ構成を示すデータ構成図である。
【図１４】表示用データのデータ構成を示すデータ構成図である。
【図１５】ＣＲＴに表示される設備図面を示す画面図である。
【符号の説明】
４ａ  設備図データ
４ｂ  工事設備図データ
【図１】
0003614879.tif 000002
【図２】
0003614879.tif 000003
【図３】
0003614879.tif 000004
【図４】
0003614879.tif 000005
【図５】
0003614879.tif 000006
【図６】
0003614879.tif 000007
【図７】
0003614879.tif 000008
【図８】
0003614879.tif 000009
【図９】
0003614879.tif 000010
【図１０】
0003614879.tif 000011
【図１１】
0003614879.tif 000012
【図１２】
0003614879.tif 000013
【図１３】
0003614879.tif 000014
【図１４】
0003614879.tif 000015
【図１５】
0003614879.tif 000016